(57)【要約】【課題】天板を壁面から前方に離間させた構成としつつ、カバーの後面の変形を抑制することができる水栓カウンターを提供すること。【解決手段】支持材はカバーよりも剛性が高い部材からなり、カバーの後面には支持材の延出部が貫通する切欠部が設けられ、支持材の天板支持部の後方側には下方に延びる係合部が設けられ、カバーの後面のうち、切欠部に左右方向に隣接する端部である切欠部側端部には、該切欠部側端部の前後方向への変形を抑制するよう係合部と係合する被係合部が設けられている。【選択図】図５
2018033676.tif 000002
【特許請求の範囲】
【請求項１】
水栓ユニットを内蔵した水栓カウンターであって、
壁面から前方に離間した天板と、
前記壁面に固定されると共に前方に延出し、先端側において前記天板を支持する支持材と、
前記天板の下方に配置された水栓ユニットと、
前記天板の下方に配置されると共に前記支持材に固定され、前記水栓ユニットの前方、下方、および後方を覆うために、前面、下面、および後面を有するカバーと、
を備え、
前記支持材は、前記カバーよりも剛性が高い部材からなり、前記天板を支持する天板支持部と、前記壁面から前記天板支持部まで延びる延出部とを有し、
前記延出部の横幅は、前記天板の横幅よりも小さく、
前記カバーの前記後面には、前記延出部が貫通する切欠部が設けられ、
前記天板支持部の後方側には、下方に延びる係合部が設けられ、
前記カバーの前記後面のうち、前記切欠部に左右方向に隣接する端部である切欠部側端部には、該切欠部側端部の前後方向への変形を抑制するよう前記係合部と係合する被係合部が設けられていることを特徴とする水栓カウンター。
【請求項２】
前記被係合部は、前記切欠部側端部の内面側に設けられていることを特徴とする請求項１記載の水栓カウンター。
【請求項３】
前記係合部が薄板状に設けられるとともに、前記被係合部は、前記薄板状の係合部の少なくとも左右の一端側が係合される断面Ｌ字状の縦長に延びるリブを有していることを特徴とする請求項１または２に記載の水栓カウンター。
【請求項４】
前記被係合部は、相対するように設けられた少なくとも２つの前記リブを有し、
前記係合部の左右端部のそれぞれが、前記２つのリブに係合するよう構成されていることを特徴とする請求項３記載の水栓カウンター。
【請求項５】
前記切欠部側端部の上方側には、前記リブは設けられていないことを特徴とする請求項３記載の水栓カウンター。
【請求項６】
前記カバーのみが取り付けられていない状態において、前記係合部の下端が前記天板の前方側から視認可能な位置まで、前記係合部は下方に延びていることを特徴とする請求項２記載の水栓カウンター。
【請求項７】
前記被係合部は、少なくとも前記カバーの前記後面における左右のいずれかの端部にも設けられていることを特徴とする請求項１〜６のいずれか１つに記載の水栓カウンター。
【発明の詳細な説明】
【技術分野】
【０００１】
本発明は、水栓カウンターに関する。
【背景技術】
【０００２】
従来、例えば特許文献１に開示されるように、カウンターに水栓ユニットの一部を内蔵した水栓カウンターがある。従来の水栓カウンターでは、天板の下方に配置された水栓ユニットの少なくとも一部を隠蔽するために、天板の下方にカバーが設けられている。天板は壁面に接触するよう設けられているため、その天板の下方に配置された水栓ユニットの前方と下方のみをカバーで覆うことで、水栓ユニットの一部が使用者の目に入らないように隠蔽している。
【先行技術文献】
【特許文献】
【０００３】
【特許文献１】特開２００６−９４９３８号公報
【発明の概要】
【発明が解決しようとする課題】
【０００４】
水栓ユニットを内蔵した水栓カウンターにおいて、天板を壁面から前方に離間させるとともに、その天板を支持する支持材の天板よりも後方側の部分の幅を天板の幅よりも狭くすることにより、上面視において天板と壁面との間に隙間を設けることが試みられている。このような水栓カウンターでは、デザイン性の向上を図ることができるとともに、隙間部分に光を通過させ、水栓カウンターの下方を明るくしやすくすることができる。このような水栓カウンターでは、外観の悪化を防止するため、水栓ユニットの前方と下方のみでなく、後方をもカバーで覆うことが求められる。
【０００５】
このように後方をカバーで覆う場合、支持材と干渉しないようにしつつ、カバーを下方から簡単に取り付けられるようにするためには、カバーの後面の一部を上下方向に切り欠く必要がある。しかし、例えばコストを抑えるために、金属や樹脂で薄肉にカバーを成形した場合、カバー後面のうち、少なくとも切欠近傍の部分は変形を生じやすい状態となるため、例えば天板の支持材にこのようなカバーを固定している状態では、温度変化によってカバー後面の切欠近傍部分が外方に反ってしまったり、または、カバーの清掃時にカバー後面に大きな力が加わり、その切欠近傍部分が内方へと変形してしまうなど、水栓カウンターの外観の悪化をまねくおそれがある。
【０００６】
本発明は、天板を壁面から前方に離間させた構成としつつ、カバーの後面の変形を抑制することができる水栓カウンターを提供することを目的とする。
【課題を解決するための手段】
【０００７】
第１の発明の水栓カウンターは、水栓ユニットを内蔵した水栓カウンターであって、壁面から前方に離間した天板と、前記壁面に固定されると共に前方に延出し、先端側において前記天板を支持する支持材と、前記天板の下方に配置された水栓ユニットと、前記天板の下方に配置されると共に前記支持材に固定され、前記水栓ユニットの前方、下方、および後方を覆うために、前面、下面、および後面を有するカバーと、を備え、前記支持材は、前記カバーよりも剛性が高い部材からなり、前記天板を支持する天板支持部と、前記壁面から前記天板支持部まで延びる延出部とを有し、前記延出部の横幅は、前記天板の横幅よりも小さく、前記カバーの前記後面には、前記延出部が貫通する切欠部が設けられ、前記天板支持部の後方側には、下方に延びる係合部が設けられ、前記カバーの前記後面のうち、前記切欠部に左右方向に隣接する端部である切欠部側端部には、該切欠部側端部の前後方向への変形を抑制するよう前記係合部と係合する被係合部が設けられていることを特徴としている。  
第１の発明によれば、カバーよりも剛性が高い支持材の係合部は、カバーの後面に設けられた被係合部との係合により、温度変化や清掃時に作用する外力によってカバーの後面が前後方向に変形しようとしても、その変形を抑制する。このカバーの後面の変形の抑制は、水栓カウンターの外観の悪化を防止する。  
第２の発明は、第１の発明において、前記被係合部は、前記切欠部側端部の内面側に設けられていることを特徴とする。  
第２の発明によれば、係合部および被係合部がカバーの外側に露出することがないため、意匠性を向上させつつ、カバーの後面の変形を抑制することができる。  
第３の発明は、第１または第２の発明において、前記係合部が薄板状に設けられるとともに、前記被係合部は、前記薄板状の係合部の少なくとも左右の一端側が係合される断面Ｌ字状の縦長に延びるリブを有していることを特徴とする。  
第３の発明によれば、係合部および被係合部の厚みを小さく抑えることができ、カバーのデザインの自由度が高まる。また、断面Ｌ字状のリブは、カバーの後面自体の剛性を高め、さらに、リブ自体の剛性を高める。そのようなリブが与える剛性によって、カバーの取り付け前（係合部との係合前）に、気温の変化等によって生じる後面の変形を抑えることができ、カバーの取り付け作業性が低下することを防止できる。  
第４の発明は、第３の発明において、前記被係合部は、相対するように設けられた少なくとも２つの前記リブを有し、前記係合部の左右端部のそれぞれが、前記２つのリブに係合するよう構成されていることを特徴とする。  
第４の発明によれば、カバーを取り付ける際に、係合部の左右方向の移動を２つのリブで規制することができる。これにより、カバーを取り付ける際に、カバーが左右にずれないようにすることができ、カバーの取り付け作業性を向上させることができる。  
第５の発明は、第３の発明において、前記切欠部側端部の上方側には、前記リブは設けられていないことを特徴とする。  
第５の発明によれば、カバーの後面においてリブが設けられていない上方側の表面に、薄板状の係合部を当てながら係合部をリブの内側に挿入し始めることができる。したがって、カバーの前後方向の位置ずれを抑制しながら、カバーを取り付けることができ、カバーの取り付け作業性をより高めることができる。  
第６の発明は、第２の発明において、前記カバーのみが取り付けられていない状態において、前記係合部の下端が前記天板の前方側から視認可能な位置まで、前記係合部は下方に延びていることを特徴とする。  
第６の発明によれば、作業者は天板の前方側から係合部の少なくとも一部を視認してその位置を確認しながら、カバーの後面の被係合部に係合部を係合させることができる。これは、カバーの取り付け作業性を向上させる。  
第７の発明は、第１〜第６の発明のいずれかにおいて、前記被係合部は、少なくとも前記カバーの前記後面における左右のいずれかの端部にも設けられていることを特徴とする。  
第７の発明によれば、カバーの後面のうちカバーの左右のいずれかの端部（切欠部側端部とは反対側の端部）が、他の部材に拘束されず、前後方向に変形しやすい状態になっていても、その左右の端部に被係合部を設け、その被係合部に係合部を係合させることで、カバーの後面の左右の端部の前後方向の変形を防止することができる。
【発明の効果】
【０００８】
本発明の水栓カウンターによれば、外観の悪化をまねかない。
【図面の簡単な説明】
【０００９】
【図１】実施形態の水栓カウンターが壁面に取り付けられた状態を示す模式斜視図。
【図２】実施形態の水栓カウンターの前方側から見た斜視図。
【図３】実施形態の水栓カウンターの背面図。
【図４】実施形態の水栓カウンターの側面図。
【図５】実施形態の水栓カウンターの分解斜視図。
【図６】実施形態の水栓カウンターの分解斜視図。
【図７】実施形態の水栓カウンターにおける支持材の斜視図。
【図８】実施形態の水栓カウンターの組立方法を説明するための斜視図。
【図９】実施形態の水栓カウンターの組立方法を説明するための斜視図。
【図１０】実施形態の水栓カウンターの組立方法を説明するための斜視図。
【図１１】実施形態の水栓カウンターの背面側から見た斜視図。
【発明を実施するための形態】
【００１０】
以下、添付図面を参照しながら本発明の実施の形態について説明する。説明の理解を容易にするため、各図面において同一の構成要素に対しては可能な限り同一の符号を付して、重複する説明は省略する。
【００１１】
図１は、実施形態の水栓カウンター１０が壁面ＷＬに取り付けられた状態を示す模式斜視図である。
【００１２】
実施形態によれば、水栓カウンター１０は、例えば浴室１の壁面ＷＬに取り付けられる。水栓カウンター１０は、例えば、浴室１内において、洗面器などを載置するためのカウンター２の上方に設置される。浴室１内において、水栓カウンター１０の上方には、照明４が設けられている。
【００１３】
なお、水栓カウンター１０の設置場所は、浴室に限ることなく、例えば、洗面所などでもよい。水栓カウンター１０は、例えば、洗面所において洗面台の上方に取り付けてもよい。
【００１４】
本願明細書においては、水栓カウンター１０が取り付けられた壁面ＷＬから手前に向かう方向を「前方」とし、これと反対の方向を「後方」とする。また、前後方向（図１においてＹ方向）および上下方向（図１においてＺ方向）に対して垂直な方向を横方向（図１においてＸ方向）とする。
【００１５】
図２は、水栓カウンター１０の前方側から見た斜視図である。  
図３は、水栓カウンター１０の背面図である。  
図４は、水栓カウンター１０の側面図である。  
図５は、水栓カウンター１０の前方側から見た分解斜視図である。  
図６は、水栓カウンター１０の後方側から見た分解斜視図である。
【００１６】
図２に示すように、水栓カウンター１０の外観は、天板２１、側面パネル２２ａ、２２ｂ、およびカバー８０によって構成される。天板２１、側面パネル２２ａ、２２ｂ、およびカバー８０は、例えば樹脂材料からなる。これら天板２１、側面パネル２２ａ、２２ｂ、およびカバー８０の内側の空間内に、図５、図６に示す水栓ユニット５０が内蔵されている。
【００１７】
水栓ユニット５０は、水（湯も含む）を吐止水する。天板２１の上には、例えば、ボディソープやシャンプーなどを載置することができる。このように、水栓カウンター１０は、例えば、浴室１内の水栓装置として機能するとともに、浴室カウンターとして機能する。換言すれば、水栓カウンター１０は、水栓装置とカウンターとを一体化させたものである。
【００１８】
図４に示すように、水栓カウンター１０は、天板２１、側面パネル２２ａ、２２ｂ、およびカバー８０が壁面ＷＬから前方に離間した状態で壁面ＷＬに取り付けられる。図３に示す後述する中央支持材３１の取付部３５が壁面ＷＬに対して固定される。水栓カウンター１０と壁面ＷＬとの間において、中央支持材３１の左右の側方に隙間が設けられる。
【００１９】
この隙間により、水栓カウンター１０のデザイン性の向上を図ることができる。また、図１に示すように、浴室１などでは水栓カウンター１０の上方に照明４が設置される場合が多い。その照明４からの光を、水栓カウンター１０と壁面ＷＬとの間の隙間に通過させ、水栓カウンター１０の下方を明るくしやすくすることもできる。
【００２０】
水栓ユニット５０は、図５、図６に示すように、操作ユニット６０、サーモユニット７０、吐水部（スパウト）６３、各種配管、止水栓などを有する。
【００２１】
操作ユニット６０は、シャワー用の操作部６１と吐水口用の操作部６２を有する。サーモユニット７０は、流量調整用の操作部７１と温度調整用の操作部７２を有する。
【００２２】
操作ユニット６０の操作部６１、６２、サーモユニット７０の操作部７１、７２、および吐水部６３は、図２に示すように、水栓カウンター１０の外部に露出している。吐水部６３は吐水口６３ａ（図８、図１０に示す）を下方に向けている。また、水栓ユニット５０において外部配管などとの接続部も水栓カウンター１０の外部に露出される。
【００２３】
操作ユニット６０の操作部６１、６２は、例えば押しボタン式の操作部である。その操作部６１、６２は、図５に示す天板２１に形成された切欠部２１ａ、および一対の側面パネル２２ａ、２２ｂの間のスペースから外部に露出する。
【００２４】
サーモユニット７０の操作部７１、７２は、例えば回動式の操作部である。図５に示すように、側面パネル２２ａに円弧状の切欠部２３が形成され、カバー８０の前面８１にも円弧状の切欠部８１ａが形成されている。側面パネル２２ａとカバー８０が組み合わされると、それら切欠部２３、８１ａは円形状の開口を形成する。その開口からサーモユニット７０の操作部７１、７２が外部に露出する。
【００２５】
操作部６２の操作により、吐水部６３の吐水口６３ａからの吐止水が切り替えられる。操作部６１の操作により、ハンドシャワーからの吐止水が切り替えられる。操作部７１の操作により、吐水口６３ａまたはハンドシャワーから吐水される水の流量が調整される。操作部７２の操作により、吐水口６３ａまたはハンドシャワーから吐水される水の温度が調整される。
【００２６】
天板２１は例えば矩形状に形成され、天板２１の横方向の幅は前後方向の幅よりも大きい。天板２１の前方側には、図５に示すように、切欠部２１ａが形成されている。
【００２７】
天板２１、側面パネル２２ａ、２２ｂ、および水栓ユニット５０は、図示しないネジで、支持材３０に取り付けられる。
【００２８】
図７は、支持材３０の斜視図である。
【００２９】
支持材３０は、中央支持材３１と、２つの端部支持材３２、３３とを有する。２つの端部支持材３２、３３が横方向に離間して配置され、それら２つの端部支持材３２、３３の間に中央支持材３１が配置されている。
【００３０】
端部支持材３２は、中央支持材３１の一方の側方に配置され、連結材１２０および図示しないネジを介して中央支持材３１に連結されている。端部支持材３３は、中央支持材３１の他方の側方に配置され、連結材１２０および図示しないネジを介して中央支持材３１に連結されている。
【００３１】
中央支持材３１は、天板支持部３４と取付部３５を有する。また、中央支持材３１は、図４、図６に示す延出部３６を有する。
【００３２】
天板支持部３４、取付部３５、および延出部３６は一体に設けられている。取付部３５は壁面ＷＬに対向し、壁面ＷＬに固定される。延出部３６は取付部３５から前方に延出し、延出部３６の先端側に天板支持部３４が設けられている。
【００３３】
取付部３５には複数の開口３９が形成され、これら開口３９を通じて、水栓カウンター１０内の水栓ユニット５０と、外部配管とが接続される。
【００３４】
一方の端部支持材３２は、天板支持部３７と係合部４１、４２を有し、これらは一体に設けられている。係合部４１、４２は、天板支持部３７の後方側で下方に延びる薄板状に設けられている。２つの係合部４１、４２が、横方向に離間して設けられている。
【００３５】
他方の端部支持材３３も、天板支持部３８と係合部４３、４４を有し、これらは一体に設けられている。係合部４３、４４は、天板支持部３８の後方側で下方に延びる薄板状に設けられている。２つの係合部４３、４４が、横方向に離間して設けられている。
【００３６】
次に、カバー８０について説明する。
【００３７】
図５、図６に示すように、カバー８０は、前面８１、側面８２、下面８３、および後面８４を有する。さらに、後面８４には、端部支持材３２、３３の係合部４１〜４４が係合する被係合部としてのリブ９１ａ、９１ｂ、９２ａ、９２ｂが設けられている。これら要素を含むカバー８０は、例えば樹脂材料で一体的に成形されている。
【００３８】
カバー８０の後方側には切欠部８５が形成され、その切欠部８５を挟んで２つの後面８４が横方向に離間して設けられている。
【００３９】
１つの後面８４に例えば４つのリブ９１ａ、９１ｂ、９２ａ、９２ｂが設けられている。４つのリブ９１ａ、９１ｂ、９２ａ、９２ｂは互いに横方向に離間している。リブ９１ａ、９１ｂ、９２ａ、９２ｂは、後面８４の内面から前方に突出しつつ左または右に折れ曲がった断面Ｌ字状に形成されている。
【００４０】
リブ９１ａ、９１ｂ、９２ａ、９２ｂは、後面８４の高さ方向（上下方向）に縦長に延びている。後面８４の上方側にはリブ９１ａ、９１ｂ、９２ａ、９２ｂは設けられず、リブ９１ａ、９１ｂ、９２ａ、９２ｂは、後面８４の上端よりも下方の位置から、後面８４の下端にかけて延びている。したがって、リブ９１ａ、９１ｂ、９２ａ、９２ｂの上下方向の長さは、後面８４の高さよりも小さい。
【００４１】
後面８４は、切欠部８５に対して左右方向に隣接する端部である切欠部側端部８９を有する。その切欠部側端部８９に、リブ９１ａが設けられている。
【００４２】
後面８４における切欠部側端部８９の反対側の端部（カバー８０自体の横方向の端部）の近傍には、リブ９２ｂが設けられている。
【００４３】
リブ９１ａとリブ９２ｂの間に、リブ９１ｂとリブ９２ａが設けられている。リブ９１ｂはリブ９１ａ寄りに設けられ、リブ９２ａはリブ９２ｂ寄りに設けられている。
【００４４】
断面Ｌ字状のリブ９１ａ、９１ｂ、９２ａ、９２ｂは、それぞれ、後面８４から前方に突出した縦長の側部９４と、その側部９４から左または右に屈曲し、隙間を隔てて後面８４に対向する縦長の対向部９５とを有する。
【００４５】
切欠部側端部８９に設けられたリブ９１ａの対向部９５はその側部９４から隣のリブ９１ｂに向けて屈曲し、逆に、リブ９１ｂの対向部９５はその側部９４からリブ９１ａに向けて屈曲している。したがって、リブ９１ａとリブ９１ｂは、対向部９５どうしが相対するように横方向に離間している。
【００４６】
切欠部側端部８９の反対側の端部近傍に設けられたリブ９２ｂの対向部９５はその側部９４から隣のリブ９２ａに向けて屈曲し、逆に、リブ９２ａの対向部９５はその側部９４からリブ９２ｂに向けて屈曲している。したがって、リブ９２ａとリブ９２ｂは、対向部９５どうしが相対するように横方向に離間している。
【００４７】
支持材３０における少なくとも係合部４１〜４４は、カバー８０における少なくとも後面８４よりも剛性が高い。実施形態によれば、例えば、カバー８０の材料よりも弾性率が大きい材料を支持材３０の材料として使うことで、支持材３０の剛性をカバー８０よりも高くしている。より具体的には、カバー８０を樹脂材料で形成し、支持材３０（中央支持材３１、および端部支持材３２、３３）を金属材料（例えばステンレス）で形成することで、係合部４１〜４４も含めた支持材３０の剛性をカバー８０よりも高くしている。したがって、支持材３０（係合部４１〜４４）の方が、カバー８０（後面８４）よりも温度変化や外力によって変形しにくい（変形量が小さい）。
【００４８】
なお、支持材３０（係合部４１〜４４）の材料として、カバー８０（後面８４）の樹脂材料よりも弾性率が大きい樹脂材料を使うことで、支持材３０（係合部４１〜４４）の剛性をカバー８０（後面８４）よりも高くしてもよい。または、支持材３０（係合部４１〜４４）とカバー８０（後面８４）を同じ材料で形成し、支持材３０（係合部４１〜４４）の厚さをカバー８０（後面８４）の厚さよりも厚くすることで、支持材３０（係合部４１〜４４）の剛性をカバー８０（後面８４）よりも高くしてもよい。
【００４９】
また、平板状の係合部４１〜４４を例えば波形にするなど形状の工夫によって、係合部４１〜４４の剛性をカバー８０（後面８４）よりも高くしてもよい。
【００５０】
次に、図８〜図１１を参照して、実施形態の水栓カウンター１０の組み立て方法について説明する。
【００５１】
図８に示すように、天板２１は、端部支持材３２、３３の天板支持部３７、３８の上面に図示しないネジで固定される。さらに、側面パネル２２ａ、２２ｂも端部支持材３２、３３に図示しないネジで固定される。天板２１に形成された切欠部２１ａに重ならないよう、一対の側面パネル２２ａ、２２ｂは横方向に離間して配置される。
【００５２】
次に、操作ユニット６０およびサーモユニット７０を含む水栓ユニット５０が、端部支持材３２、３３の天板支持部３７、３８の下面に図示しないネジで固定される。水栓ユニット５０は天板２１の下方に配置される。
【００５３】
一方、中央支持材３１の取付部３５は壁面ＷＬに図示しないネジで固定される。
【００５４】
壁面ＷＬに固定された中央支持材３１に対して、図８に示す要素が互いに組み付けられた（仮）ユニットを取り付ける。
【００５５】
図７に示すように、端部支持材３２は係合部４１の隣に、係合部４１、４２と同様に天板支持部３７から下方に延びる薄板状の取付部４５を有している。端部支持材３３も係合部４３の隣に、係合部４３、４４と同様に天板支持部３８から下方に延びる薄板状の取付部４６を有している。その取付部４５、４６に対して、中央支持材３１を図７に示す連結材１２０および図示しないネジを介して連結する。さらに、天板２１における端部支持材３２、３３の間の部分が、中央支持材３１の天板支持部３４に図示しないネジで固定される。
【００５６】
端部支持材３２、３３の天板支持部３７、３８および中央支持材３１の天板支持部３４の後端は壁面ＷＬから前方に離間し、それら天板支持部３４、３７、３８上に支持された天板２１の後端も壁面ＷＬから前方に離間している。
【００５７】
このようにして、水栓カウンター１０におけるカバー８０を除く要素が壁面ＷＬに対して取り付けられる。図９に、カバー８０取り付け前の水栓カウンター１０を背面側から見た斜視図を表す。図９において壁面の図示は省略している。
【００５８】
そして、壁面ＷＬに取り付けられたユニットに対して、下方からカバー８０を取り付ける。
【００５９】
カバー８０の前面８１には上方に突出する爪部８６が設けられている。その爪部８６を、側面パネル２２ａ、２２ｂに形成された図示しない係合孔に差し込んで係合させることで、カバー８０が取り付けられる。また、カバー８０における下面８３の後端側に設けられた図６に示すボス部８７が、中央支持材３１に設けられた図７に示すカバー固定部５９に対して図示しないネジで固定される。
【００６０】
カバー８０の前面８１、側面８２、および下面８３は、それぞれ、天板２１の下方に配置された水栓ユニット５０の前方、側方、および下方を覆う。
【００６１】
また、カバー８０の後方側には、中央支持材３１の延出部３６に干渉しないように切欠部８５が形成されている。延出部３６がその切欠部８５を貫通するようにカバー８０が下方から取り付けられる。延出部３６の横幅は天板２１の横幅よりも小さく、その延出部３６の側方における水栓ユニット５０の後方は、カバー８０の後面８４で覆われる。
【００６２】
カバー８０の後面８４には前述したように例えば断面Ｌ字状の縦長のリブ９１ａ、９１ｂ、９２ａ、９２ｂが形成されており、そのリブ９１ａ、９１ｂ、９２ａ、９２ｂに対して、端部支持材３２、３３に設けられた薄板状の係合部４１〜４４の左右の端部を係合させる。
【００６３】
図１１は、カバー８０が取り付けられた水栓カウンター１０の背面側の斜視図である。カバー８０の後面８４に隠れているリブ９１ａ、９１ｂ、９２ａ、９２ｂ、およびリブ９１ａ、９１ｂ、９２ａ、９２ｂに係合した係合部４１〜４４を破線で表している。
【００６４】
係合部４４の左右の端部が、対を形成するリブ９２ａ、９２ｂと、カバー８０の後面８４との間に形成された隙間に挿入される。  
係合部４３の左右の端部が、対を形成するリブ９１ａ、９１ｂと、カバー８０の後面８４との間に形成された隙間に挿入される。  
係合部４１の左右の端部が、対を形成するリブ９１ａ、９１ｂと、カバー８０の後面８４との間に形成された隙間に挿入される。  
係合部４２の左右の端部が、対を形成するリブ９２ａ、９２ｂと、カバー８０の後面８４との間に形成された隙間に挿入される。
【００６５】
カバー８０を下方から係合部４１〜４４に近づけることで、相対的に、係合部４１〜４４の左右の端部が、断面Ｌ字状のリブ９１ａ、９１ｂ、９２ａ、９２ｂの内側の隙間に上方から挿入される。リブ９１ａ、９１ｂ、９２ａ、９２ｂが、係合部４１〜４４の左右の端部を前方および側方側から覆う。
【００６６】
中央支持材３１と、カバー８０の後面８４との間の隙間は、図３に示すように、支持材カバー１１０によって覆われる。
【００６７】
図１０に示すように、壁面に取り付けられ、カバー８０が取り付けられる前の水栓カウンター１０（カバー８０のみが取り付けられていない状態）において、係合部４１〜４４の下端が天板２１の前方側から視認可能な位置まで、係合部４１〜４４は下方に延びている。ここで、天板２１の前方側からの視認とは、天板２１を真正面から見ることに限らず、図１０に示すように、下方から見上げるような角度で天板２１を見ることも含む。
【００６８】
このように、すでに壁面に対して天板２１、支持材３０、および水栓ユニット５０が取り付けられた状態で、作業者の前方側からの視認で、係合部４１〜４４の少なくとも下端側の一部は水栓ユニット５０に隠れずに視認することができる。そのため、下方からカバー８０を取り付ける際に、係合部４１〜４４を視認して位置を確認しながら、カバー８０後面８４のリブ９１ａ、９１ｂ、９２ａ、９２ｂに係合（挿入）することができる。これは、カバー８０の取り付け作業性を向上させる。
【００６９】
カバー８０よりも剛性が高い支持材３０の係合部４１〜４４がカバー８０の後面８４の被係合部（リブ９１ａ、９１ｂ、９２ａ、９２ｂ）に係合している。このような係合部４１〜４４は、温度変化や清掃時に作用する外力によってカバー８０の後面８４が前後方向に変形しようとしても、その変形を抑制する。このカバー８０の後面８４の変形の抑制は、水栓カウンター１０の外観の悪化を防止する。
【００７０】
以上説明した実施形態によれば、天板２１を壁面ＷＬから離間させた状態で水栓カウンター１０を壁面ＷＬに取り付けるにあたって、その取り付けを担う中央支持材３１は天板２１の横方向の一部（例えば中央部）にのみ設けている。そのため、水栓カウンター１０の後方をカバー８０で覆うにあたって、カバー８０には中央支持材３１との干渉を避けるための切欠部８５を設けている。カバー８０の後面８４において切欠部８５とは反対側の端部は側面８２と一体的に結合して変形しにくいのに対して、カバー８０の後面８４における切欠部８５に隣接する切欠部側端部８９は、他部材の拘束を受けずに、切欠部８５に対して開放され、変形しやすい。
【００７１】
その切欠部側端部８９に設けられたリブ９１ａに対して、係合部４１、４３の左右の一端側が係合することで、特に変形しやすい切欠部側端部８９の変形が効果的に抑制されている。
【００７２】
したがって、実施形態に示すような構成では、少なくとも切欠部側端部８９に被係合部（リブ９１ａ）を設け、カバー８０よりも剛性の高い係合部４１、４３によって切欠部側端部８９を拘束することで、その変形を抑制することが有効である。
【００７３】
さらに、カバー８０の後面８４における切欠部側端部８９以外にも被係合部（リブ）と係合部との係合構造を設けることで、より剛性の高い部材による後面８４の拘束箇所が増え、後面８４の変形抑制により効果的である。
【００７４】
さらに実施形態によれば、被係合部がリブ９１ａ、９１ｂ、９２ａ、９２ｂとして設けられていることで、後面８４自体の剛性を高めることができる。そのリブ９１ａ、９１ｂ、９２ａ、９２ｂの数に比例して後面８４の剛性も高くできる。さらに、そのリブ９１ａ、９１ｂ、９２ａ、９２ｂを断面Ｌ字状にすることで、リブ９１ａ、９１ｂ、９２ａ、９２ｂ自体の剛性を高めることができる。
【００７５】
そのようなリブ９１ａ、９１ｂ、９２ａ、９２ｂが与える剛性によって、カバー８０の取り付け前（係合部４１〜４４との係合前）に、気温の変化等によって生じる後面８４（特に切欠部側端部８９）の変形を抑えることができ、カバー８０の取り付け作業性が低下することを防止できる。
【００７６】
また、薄板状の係合部４１〜４４と、断面Ｌ字状のリブ９１ａ、９１ｂ、９２ａ、９２ｂとのシンプルな係合（挿入）構造は、係合部４１〜４４およびリブ９１ａ、９１ｂ、９２ａ、９２ｂの厚みを小さく抑えることができ、カバー８０のデザインの自由度が高まる。
【００７７】
なお、被係合部の構成としては、例えば、対を形成するリブ９１ａとリブ９１ｂ（またはリブ９２ａとリブ９２ｂ）の対向部９５どうしを横方向につなげた構成にしてもよい。すなわち、一対の側部９４の間に広がる大きな隙間が、後面８４との間に形成され、その隙間に薄板状の係合部４１〜４４を挿入することができる。
【００７８】
被係合部（リブ９１ａ、９１ｂ、９２ａ、９２ｂ）は、カバー８０の後面８４における外面（壁面ＷＬに向き合う側の面）に設け、その外面で係合部４１〜４４とリブ９１ａ、９１ｂ、９２ａ、９２ｂとを係合させてもよい。なお、上記実施形態のように、カバー８０の内面で係合部４１〜４４とリブ９１ａ、９１ｂ、９２ａ、９２ｂを係合させると、それらがカバー８０の外側に露出することがないため、意匠性を向上させつつ、カバー８０後面８４の変形を抑制することができる。
【００７９】
また、それぞれの係合部４１〜４４の少なくとも左右の一端側が、断面Ｌ字状のリブリブ９１ａ、９１ｂ、９２ａ、９２ｂの内側に係合（挿入）されれば、後面８４の変形の抑制が可能である。
【００８０】
上記例では、係合部４１〜４４の左右の両端部が、横方向で相対する一対のリブ９１ａとリブ９１ｂ（またはリブ９２ａとリブ９２ｂ）の内側に係合する構成としている。このような構成は、カバー８０を取り付ける際に、係合部４１〜４４の左右方向の移動を一対のリブ９１ａとリブ９１ｂ（またはリブ９２ａとリブ９２ｂ）で規制することができる。これにより、カバー８０を取り付ける際に、カバー８０が左右にずれないようにすることができ、カバー８０の取り付け作業性を向上させることができる。
【００８１】
カバー８０以外の要素がすでに壁面ＷＬに取り付けられた水栓カウンター１０の前方側にいる作業者にとって、係合部４１〜４４は視認しにくい後方にある。したがって、カバー８０を下方から上方に移動させて係合部４１〜４４をリブ９１ａ、９１ｂ、９２ａ、９２ｂの内側に挿入するとき、作業者はその挿入が見えにくい場合があり得る。そのような状況で、カバー８０の後面８４に設けられたリブ９１ａ、９１ｂ、９２ａ、９２ｂが後面８４の上端にまで延在していると、係合部４１〜４４の下端をリブ９１ａ、９１ｂ、９２ａ、９２ｂの上端に合わせる位置決めは容易ではない。
【００８２】
これに対して実施形態によれば、後面８４の上方側にはリブ９１ａ、９１ｂ、９２ａ、９２ｂは設けられていない。そのため、後面８４において、リブ９１ａ、９１ｂ、９２ａ、９２ｂが設けられていない上方側の表面（内面）に、薄板状の係合部４１〜４４の背面を当てながら係合部４１〜４４をリブ９１ａ、９１ｂ、９２ａ、９２ｂの内側に挿入し始めることができる。したがって、後面８４の上方側の内面と、係合部４１〜４４の背面との当接によりカバー８０の前後方向の位置ずれを抑制しながら、カバー８０を取り付けることができ、カバー８０の取り付け作業性をより高めることができる。
【００８３】
カバー８０は、側面８２を持たず、前面８１、下面８３、および後面８４だけの構成であってもよい。例えば意匠性を確保するために、天板２１の左右端の下方に、カバー８０とは別の意匠部材を取り付けることができる。または、天板２１が、例えば浴槽（バスエプロン）と浴室の壁面との間に延在し、それら浴槽（バスエプロン）と浴室の壁面が、水栓カウンター１０の側面カバーとして機能するような構成でもよい。
【００８４】
そのような側面を持たないカバー８０では、後面８４のうち切欠部側端部８９とは反対側の端部も、他の部材に拘束されず、前後方向に変形しやすい状態になってしまう。そのような場合であっても、カバー８０の後面８４のうち左右の端部（切欠部側端部８９とは反対側の端部）にリブ９２ｂを設け、そのリブ９２ｂに係合部４２、４４の左右の一端側を係合させることで、後面８４の左右の端部の前後方向の変形を防止することができる。
【００８５】
以上、具体例を参照しつつ本発明の実施形態について説明した。しかし、本発明は、それらに限定されるものではなく、本発明の技術的思想に基づいて種々の変形が可能である。
【符号の説明】
【００８６】
１０…水栓カウンター、２１…天板、３０…支持材、３１…中央支持材、３２，３３…端部支持材、３４，３７，３８…天板支持部、３５…取付部、３６…延出部、５０…水栓ユニット、６０…操作ユニット、７０…サーモユニット、４１〜４４…係合部、８０…カバー、８１…前面、８２…側面、８３…下面、８４…後面、８５…切欠部、８９…切欠部側端部、９１ａ，９１ｂ，９２ａ，９２ｂ…被係合部（リブ）
【図１】
2018033676.tif 000003
【図２】
2018033676.tif 000004
【図３】
2018033676.tif 000005
【図４】
2018033676.tif 000006
【図５】
2018033676.tif 000007
【図６】
2018033676.tif 000008
【図７】
2018033676.tif 000009
【図８】
2018033676.tif 000010
【図９】
2018033676.tif 000011
【図１０】
2018033676.tif 000012
【図１１】
2018033676.tif 000013